(57)【要約】【課題】  小型化が可能になるとともに、持ち運びも容易になり、訪問エステティクあるいはマッサージの施術用に適した折り畳みベッドを提供する。【解決手段】  表面側に人の体を保持するマット部を有する一対の第１及び第２のベッド部（１１ａ，１１ｂ）が折り畳み可能に接続されたベッド本体（１１）と、第１及び第２のベッド部（１１ａ，１１ｂ）の両端部側に回動可能に取付けられたベッド本体（１１）を平坦な状態で保持する１対の支持部（２０，２０）と、１対の支持部（２０，２０）側と第１及び第２のベッド部（１１ａ，１１ｂ）が折り畳み可能に接続された側との間に設けられた伸縮自在に形成された保持軸（３０，３０）と、１対の支持部（２０，２０）が垂直な状態のときに、それらの間を緊張した状態に保持するワイヤ（３７）とを有する。【選択図】    図１
2010022730.tif 000002
【特許請求の範囲】
【請求項１】
表面側に人の体を保持するマット部を有する一対の第１のベッド部と第２のベッド部とが折り畳み可能に接続されたベッド本体と、前記第１のベッド部と第２のベッド部の両端部側の下部側に回動可能に取付けられた前記ベッド本体を平坦な状態で保持するための１対の支持部と、前記１対の支持部側と前記一対の第１のベッド部と第２のベッド部とが折り畳み可能に接続された側との間に設けられた伸縮自在に形成された保持軸と、前記１対の支持部が垂直な状態のときに該１対の支持部の間を緊張した状態に保持するためのワイヤとを有することを特徴とする折り畳みベッド。
【請求項２】
前記ベッド本体の第１のベッド部及び第２のベッド部は、金属パイプからなる長方形状に形成されたベッド枠と、このベッド枠の上面に取付けられた支持板と、この支持板の表面側を覆うマット部と、このマット部の上面側を覆うカバー部とから構成されていることを特徴とする請求項１記載の折り畳みベッド。
【請求項３】
前記保持軸は、それぞれ前記第１のベッド部及び第２のベッド部の接続部側にそれぞれ一端部側が回動可能に接続された第1の保持軸と、これら第1の保持軸に一端部側が伸縮可能に挿入され他端部側がそれぞれ前記１対の支持部に回動可能に接続された第２の保持軸とから構成されていることを特徴とする請求項１記載の折り畳みベッド。
【請求項４】
前記支持部が使用状態にあるとき、前記支持部の下端部から前記ベッド本体の上面前の高さは、人が立った状態で前記ベッド本体の表面を腕で操作できる高さになるよう段階的に高さ調整可能に形成されていることを特徴とする請求項１記載の折り畳みベッド。
【請求項５】
前記ベッド部の一方側の側面には、頭部側を支持するための頭保持部が装着されるようになっていることを特徴とする請求項１記載の折り畳みベッド。
【請求項６】
前記頭部保持部には、腕を支持するための腕支持部が装着できるようになっていることを特徴とする請求項５記載の折り畳みベッド。
【発明の詳細な説明】
【技術分野】
【０００１】
本発明は、小型化でき持ち運びも容易になり、例えば、訪問エステティクあるいはマッサージの施術用に適した折り畳みベッドに関するものである。
【背景技術】
【０００２】
従来から全身美容あるいは理容のためのエステティク店やマッサージ店が増えてきているが、さらに近年においては、訪問によるエステティク及びマッサージの業種が増えてきている。訪問によるエステティク及びマッサージは、利用者の自宅にエステティクやマッサージの施術者が訪問して、その利用者の自宅において施術するというものである。このような訪問によるエステティクあるいはマッサージは、その利用者が自宅から外出することなく施術を受けることができる利便性から好評を博している理由となっている。しかしながら、このような訪問によるエステティクあるいはマッサージの場合においては、その施術者が訪問する際に、エステティクあるいはマッサージ施術のためのベッドを携行する必要があった。
【０００３】
このような施術者の訪問による、エステティクあるいはマッサージの施術用ベッドは、軽量であるとともに、携帯が容易になるように小さく折りたたむことができるものが要望されている。
【０００４】
他方で、エステティクあるいはマッサージの施術用ベッドの場合では、ベッド上で横たわるだけではなく、施術者が利用者の体を揉んだり、押したりすることがあるため、耐荷重性についても十分に考慮する必要があった。なお、エステティクあるいはマッサージの施術用ベッドの場合には、ベッド上で本当に寝るわけではないため、長時間の耐震自体についてはさほど気を遣う必要はなかった。
【０００５】
従来、折り畳み可能で、かつ、軽量化を図った折り畳みベッドとしては、特許文献１に記載されたものが知られている。この折り畳みベッドは、特に、接地面に垂直な支持脚体のみで、利用者の重量を支えなければならないため、この支持脚体を頑丈なものとするために必要が構造と材料を使用する必要があった。また、この折り畳みベッドは、高さが低い構造に形成されたものであり、エステティクあるいはマッサージの施術用ベッドとしては、その施術者が立った状態で行うことが多いため、ベッド上面もある程度の高さが必要であった。
【０００６】
【特許文献１】特開平１１−７５９９８号公報
【発明の開示】
【発明が解決しようとする課題】
【０００７】
本発明は上記事情に鑑みなされたもので、小型化が可能になるとともに、持ち運びも容易になり、訪問エステティクあるいはマッサージの施術用に適した折り畳みベッドを提供することを目的とする。
【課題を解決するための手段】
【０００８】
上記目的を達成するために請求項１に記載の発明にあっては、表面側に人の体を保持するマット部を有する一対の第１のベッド部と第２のベッド部とが折り畳み可能に接続されたベッド本体と、前記第１のベッド部と第２のベッド部の両端部側の下部側に回動可能に取付けられた前記ベッド本体を平坦な状態で保持するための１対の支持部と、前記１対の支持部側と前記一対の第１のベッド部と第２のベッド部とが折り畳み可能に接続された側との間に設けられた伸縮自在に形成された保持軸と、前記１対の支持部が垂直な状態のときに該１対の支持部の間を緊張した状態に保持するためのワイヤとを有することを特徴とするものである。
【０００９】
請求項２に記載の発明にあっては、前記ベッド本体の第１のベッド部及び第２のベッド部は、金属パイプからなる長方形状に形成されたベッド枠と、このベッド枠の上面に取付けられた支持板と、この支持板の表面側を覆うマット部と、このマット部の上面側を覆うカバー部とから構成されていることを特徴とするものである。
【００１０】
請求項３に記載の発明にあっては、前記保持軸は、それぞれ前記第１のベッド部及び第２のベッド部ｂの接続部側にそれぞれ一端部側が回動可能に接続された第1の保持軸と、これら第1の保持軸に一端部側が伸縮可能に挿入され他端部側がそれぞれ前記１対の支持部に回動可能に接続された第２の保持軸とから構成されていることを特徴とするものである。
【００１１】
請求項４に記載の発明にあっては、前記支持部が使用状態にあるとき、前記支持部の下端部から前記ベッド本体の上面前の高さは、人が立った状態で前記ベッド本体の表面を腕で操作できる高さになるよう段階的に高さ調整可能に形成されていることを特徴とするものである。
【００１２】
請求項５に記載の発明にあっては、前記ベッド部の一方側の側面には、頭部側を支持するための頭保持部が装着されるようになっていることを特徴とするものである。
【００１３】
請求項６に記載の発明にあっては、前記頭部保持部には、腕を支持するための腕支持部が装着できるようになっていることを特徴とする請求項５記載の折り畳みベッドを特徴とするものである。
【発明の効果】
【００１４】
表面側に人の体を保持するマット部を有する一対の第１のベッド部と第２のベッド部とが折り畳み可能に接続されたベッド本体と、第１のベッド部と第２のベッド部の両端部側の下部側に回動可能に取付けられたベッド本体を平坦な状態で保持するための１対の支持部と、１対の支持部側と一対の第１のベッド部と第２のベッド部とが折り畳み可能に接続された側との間に設けられた伸縮自在に形成された保持軸と、１対の支持部が垂直な状態のときに該１対の支持部の間を緊張した状態に保持するためのワイヤとを有することで、小型化が可能になるとともに、持ち運びも容易になり、訪問エステティクあるいはマッサージの施術用に適したものとなる。
【発明を実施するための最良の形態】
【００１５】
以下、本発明を図示の一実施形態により具体的に説明する。図１〜図８は本発明実施形態の折り畳みベッドを説明する図であり、図１は折り畳みベッドの使用状態における斜視図、図２は折り畳みベッドの使用状態における正面図、図３は折り畳みベッドの使用状態における平面図、図４は折り畳みベッドの頭部支持部を外した状態の左側面図、図５は折り畳みベッドの足部側が配置される側の右側面図、図６はベッド本体の部分拡大断面図、図7は折り畳みベッドの畳み込み途中の状態を説明する正面図、図８は折り畳みベッドの畳み込んだ状態を説明する図である。
【００１６】
図１に示すように、本発明実施形態の折り畳みベッド１０は、人が体を水平状態にして寝ることができる十分な大きさに形成されるとともに、使用しないときには、２つ折にして小さく畳むことができるベッド本体１１を有し、このベッド本体１１の下部側の両端部側には、使用する状態において、そのベッド本体１１の上面を水平に支持するとともに所定の高さ調整できる一対の支持部２０，２０が取付けられているものである。２つ折のベッド本体１１は、同じ大きさの長方形状に形成された頭部から腰側が配置される第１のベッド部１１aと、腰側から足側が配置される第２のベッド部１１ｂとが、中央部において２つ折りできるように接続されている。このベッド本体１１の下部側には、使用状態において、それぞれ第１のベッド部１１ａ及び第２のベッド部１１ｂを、一定の高さで水平状態に支持するための、同じ長さに形成された支持部２０，２０がそれぞれ設けられている。これらの支持部２０，２０は、それぞれ伸縮自在に形成された保持軸３０，３０により保持されるようになっている。これらの保持軸３０，３０は、それぞれ第１のベッド部１１及び第２のベッド部１１ｂの接続部側にそれぞれ一端部側が回動可能に接続されたパイプ状の第1の保持軸３１，３１と、これら第1の保持軸３１，３１内に一端部側が伸縮可能に挿入され他端部側がそれぞれ支持部２０，２０のほぼ中央部に回動可能に接続された第２の保持軸３２，３２とから構成されている。これら第２の保持軸３２，３２が接続されたそれぞれの支持部２０，２０の間には、ベッド本体１１が使用状態において上面が水平状態にあるときに緊張した状態になるワイヤ３７，３７が設けられたいる。また、第１のベッド部１１の側面には、頭部側を保持する頭部保持部４０が取付け可能になっており、また、この頭部保持部４０の下部側には、必要により腕支持部５０が取付けられるようになっている。
【００１７】
次に、上記の各部の構成をさらに詳細に説明する。図２〜図６に示すように、ベッド本体１１は、同じ大きさのほぼ長方形状に形成された、２組の第１のベッド部１１aと第２のベッド部１１ｂとから形成されている。２組の第１のベッド部１１aと第２のベッド部１１ｂとは、それぞれの端部側に設けられた連結部１６により水平状態にできるとともに、裏面側を互いに向けて折り畳み可能に接続されている。これら第１のベッド部１１ａ及び第２のベッド部１１ｂは、それぞれ同じ形状と大きさの長方形状に形成され、かつその長方形状の大きさは、水平にした使用状態において、その上面に人が寝た状態で体を支持できるように十分な大きさに形成されている。本実施形態においては、それぞれのベッド本体１１ａ及びベッド本体１１ｂは、例えば、図６に示すように、断面形状が矩形状に形成された金属パイプからなるベッド枠１２と、このベッド枠１２の上面に取付けられた支持板１３と、この支持板１３の表面側を覆うとともにベッド枠１２の側面側を覆うように取付けられたマット部１４と、マット部１４の上面側からベッド枠１２の下部側までを覆うカバー部１５とから構成されている。本実施形態において、ベッド枠１２は、例えば、水平状態における縦横の寸法が９０ｃｍ×６０ｃｍ程度の長方形状の大きさに形成され、使用状態である２組の接続されたベッド枠１２，１２を水平状態に保持されたときには、縦横の寸法が１８０ｃｍ×６０ｃｍ程度の大きさになる。このようなベッド枠１２，１２は、人の重量を十分に支持できる強度を有するとともに全体として軽量化できる構造と材料が使用される。本実施形態においては、ベッド枠１２，１２として、例えば、厚さが１ｍｍ程度で、断面形状として縦横が２．５ｃｍ×２．５ｃｍ程度の長方形のパイプ状に形成されたアルミニウム管からなる材料を使用することができる。なお、ベッド枠１２，１２の材料や大きさは、強度と軽量化を考慮してアルミニウム以外の薄い材料からなる金属管等を使用することも可能である。本実施形態の長方形状に形成されたベッド枠１２，１２の角部は、緩やかな円弧状に形成されているが、９０度の角度で尖った形状に形成されていてもよく、その大きさや形状に関しては任意にでき、実施形態に限定されない。支持板１３は、長方形状のベッド枠の上面を覆う矩形状に形成され、人の重量を支持できる強度を有する軽量な材料から形成されている。マット部１４は、例えば、人の体を柔軟に保持できるクッション材料から形成されている。カバー部１５は、マット部１４の表面を覆うプラスチック材料からなる布材を使用することができる。このベッド本体１１のベッド枠１２、支持板１３、マット部１４及びカバー部１５までの厚（Ａ）は、例えば、８ｃｍ程度に形成されている。なお、図４及び図５に示すように、一方のベッド本体１１ａの端部側の中央部には連結部３８が設けられ、また他方のベッド枠１１bの端部側の中央部には連結部３９が設けられて、これら連結部３８，３９により、後に説明する折り畳んだ状態を保持できるようになっている。また、一方の第２のベッド部１１ｂの側面中央部には、ベッド本体１１を畳んだ状態で持ち運びできるようにするための布製等からなる取っ手部１９が取付けられている。また、ベッド本体１１aの頭部側が配置される部分には、人の顔の大きさよりやや小さい楕円形状に形成されたマット部１７が取り外し可能に装着され、使用時にそのマット部１７を取外して顔側をその部分に当接させた状態に使用することができるようになっている。
【００１８】
上記支持部２０は、図２、図４及び図５に示すように、同じ長さの真っ直ぐに形成された軽量な一対の支持軸２１，２１と、これら支持軸２１，２１の間隔を平行な状態に保持する保持軸２２と、それぞれの支持軸２１，２１の下端部側に突出可能に取付けられた調整軸２３，２３等とを有する。一対の支持軸２１，２１は、例えば、その外径が３ｃｍ程度で長さが４８ｃｍ程度の軽量なアルミニューム等の金属材料からなるパイプ材から形成され、その平行な間隔がベッド枠１２の横幅よりやや小さい５０ｃｍ程度になるように、同様のアルミニューム等の金属材料からなるパイプ状の保持軸２２により平行に取付けられている。また、一対の支持軸２１，２１は、その端部側がベッド枠１２の両端部側の内側に設けられた支持部２４，２４に回動可能に取付けられ、そのベッド枠１２の内側に畳み込むことができるようになっている。それぞれの支持軸２１，２１の下部側には、それぞれ装着される調整軸２３，２３の取付け長さを調整するための複数の調整孔２５が、軸方向に沿って５個程度一定の４ｃｍ程度の間隔で形成され、調整軸２３，２３は、支持軸２１，２１の下方に突出される長さを一定の突出長さで調整できるようになっている。図２に示すように、支持部２０における、支持軸２１，２１と調整軸２３，２３とによる使用状態における長さ（Ｂ）は、調整軸２３，２３を一定長さ下方に突出させることで、５０ｃｍ〜６６ｃｍ程度まで調整できるようになっている。すなわち、使用状態における高さ（Ｈ）は、例えば、５８ｃｍ〜７４ｃｍまで段階的に高さ調整できるようになっている。すなわち、支持部２０，２０は、マッサージ等を行う人が立った状態で作業することができるように高さ調整できるようになっている。
【００１９】
上記の第1の保持軸３１，３１と第２の保持軸３２，３２とにより伸縮自在に形成された保持軸３０，３０は、その第１の保持軸３１，３１の端部側が、それぞれ第１のベッド部１１a及び第２のベッド部１１ｂが連結された側において、それぞれ軸支持部３４，３４により回動可能に接続され、その第２の保持軸３２，３２の端部側が、それぞれの支持部２０，２０の保持軸２２のほぼ中央部にそれぞれ設けられた軸支持部３５，３５により回動可能に接続されている。保持軸３０，３０は、それぞれ太く形成された第１の保持軸３１，３１の内部にやや細く形成された第２の保持軸３２，３２が挿入され、第１のベッド部１１aと第２のベッド部１１ｂとが水平な状態において、最も長く伸ばされた状態になるとともに、それぞれの第１のベッド部１１aと第２のベッド部１１ｂが連結された部分において保持部３３，３３により一定の長さに保持されるようになっている。すなわち、図２に示すように、使用状態においては、それぞれの保持軸３０，３０は、保持部３３，３３により保持された状態で一定の長さに保持されるようになっている。それぞれの保持軸３０，３０は、水平な状態となった第１のベッド部１１aと第２のベッド部１１ｂの接続部側の軸支持部３４，３４に第１の保持軸３１，３１の一端部側が接続され、かつほぼ垂直に支持された支持部２０，２０の保持軸２２，２２に設けられた軸支持部３５，３５に第２の保持軸３２，３２の端部側が接続されている。また、それぞれの支持部２０，２０の軸支持部３５，３５が設けられた部分には、ワイヤ取付部３６，３６が設けられ、それぞれのワイヤ取付部３６，３６との間に１対のワイヤ３７，３７が緊張した状態で取付けられている。すなわち、使用状態において、第１のベッド部１１aと第２のベッド部１１ｂとが水平な状態になっているときには、それぞれの保持軸３０，３０は、第１の保持軸３１，３１と第２の保持軸３２，３２とが最も長く伸ばされた状態になるとともに、その長さの状態が保持部３３，３３により保持され、かつ支持部２０，２０がほぼ垂直な使用状態に保持され、かつこの状態においてワイヤ３７，３７が緊張した状態になる。
【００２０】
次に、図７に示すように、第１のベッド部１１aと第２のベッド部１１ｂとを連結部１６を中心に裏面側を傾斜状態にするとともに、それぞれの保持軸３０，３０における第１の保持軸３１，３１に第２の保持軸３２，３２を押し込むことにより短くすることで、それぞれの支持部２０，２０を、それぞれの第１のベッド部１１a及び第２のベッド部１１ｂの裏面側に向けて回動させることができ、かつこの状態において、ワイヤ３７，３７は、緊張した状態から緩んだ状態になる。続いて、さらに第１のベッド部１１aと第２のベッド部１１ｂとを連結部１６を中心にして折り畳むと、保持軸３０，３０は、さらに短くなるとともに、支持部２０，２０とともに、それぞれの第１のベッド部１１a及び第２のベッド部１１ｂの裏面内に収納され、図８に示すように、第１のベッド部１１aの裏面側と、第２のベッド部１１ｂとの裏面側とが互いに当接された状態に畳み込むことができ、かつ連結部３８，３９により連結させることで、折り畳み状態を保持できるようになっている。このような第１のベッド部１１a及び第２のベッド部１１ｂを折り畳んだ状態においては、取っ手１９を手で持つことで、折り畳みベッド１０を持ち運ぶことが可能になる。
【００２１】
頭部保持部４０は、図２及び図３に示すように、頭部側を支持するための柔軟なマット状で、上部側から見たときＣ字型に形成された頭部支持部４１と、この頭部支持部４１を取付ける保持部４２と、この保持部４２の下部側に設けられる支持機構４３と、この支持機構４３に取付けられた１対の取付軸４４，４４とを有する。支持機構４３は、保持部４２を傾斜させることで、頭部側が配置される頭部支持部４１を傾斜させた状態に保持することができるようになっている。腕支持部５０は、横長の板状に形成された保持板５１と、この保持板５１を支持機構４３に吊るした状態で取付けるためのワイヤ５２とから構成されている。すなわち、頭部保持部４０の頭部支持部４１に、顔を当接させたうつ伏せ状態で使用するときには、腕支持部５０のワイヤ５２で吊るされた保持板５１の上に腕を乗せることで支持できるようになっている。また、頭部保持部４０または腕支持部５０は、使用状態において簡単に取付けることができるとともに、使用しないときに取外しができるようになっている。
【００２２】
上記構成の折り畳みベッド１０は、例えば、室内における床上等に配置して使用するときには、ベッド本体１１の第１のベッド部１１a及び第２のベッド部１１ｂを、連結部１６を中心にして平坦な状態にするとともに、それぞれの第１のベッド部１１a及び第２のベッド部１１ｂの両端部に設けられている支持部２０，２０を支持部２４．２４を中心にして回動させる。続いて、支持軸２１，２１の端部側に設けられた調整軸２３，２３，２３，２３側を床の表面に当接させて、ベッド本体１１を上部側にする。この状態において、ベッド本体１１の第１のベッド部１１a及び第２のベッド部１１ｂは、その表面が水平で平坦な状態になるとともに、それぞれの支持部２０，２０を構成する左側の支持軸２１，２１と右側の支持軸２１，２１とがほぼ垂直な状態になる。この状態において、保持軸３０，３０は、それぞれの第１の保持軸３１，３１と第２の保持軸３２，３２とが最も引き伸ばされた状態になって保持部３３，３３により一定の長さに保持されるとともに、ワイヤ３７，３７が緊張した状態になる。従って、ベッド本体１１は、上面が水平で平坦な状態になるとともに、支持部２０，２０がほぼ垂直となり、かつ保持軸３０，３０が最も長く伸ばされた状態で、ベッド本体１１の第１のベッド部１１a及び第２のベッド部１１ｂが連結された部分と支持部２０，２０との間に保持され、かつ緊張したワイヤ３７，３７により、支持部２０，２０が垂直な使用状態になるよう保持される。すなわち、ベッド本体１１の第１のベッド部１１a及び第２のベッド部１１ｂが水平な使用状態にあるときには、左右の支持部２０，２０は、下端部側に向けて垂直状態になるとともに、保持軸３０，３０が傾斜した真っ直ぐ引き伸ばされた一定の長さになり、かつワイヤ３７，３７は、左右の支持部２０，２０の間で真直ぐに引き伸ばされた緊張状態になる。これにより、ベッド本体１１は、水平な状態に保持されるとともに、支持部２０，２０も垂直な状態に維持される。水平な状態に維持されたベッド本体１１の表面に、人が寝ても、体が安定して保持した状態で使用することができる。さらに、本実施形態においては、頭部保持部４０が取付け可能になっていることで、この頭部保持部４０に頭を配置して使用することができ、かつ頭部保持部４０の頭部支持部４１に、顔を当接させたうつ伏せ状態で使用したときには、腕支持部５０の保持板５１の上に腕を乗せることで支持することができる。
【００２３】
次に、上記の折り畳みベッド１０を使用状態から、畳んだ状態にするときには、横に倒した状態にするとともに、図７に示すように、ベッド本体１１の第１のベッド部１１a及び第２のベッド部１１ｂを連結部１６を中心にして裏面側に傾斜した状態にすると、緊張したワイヤ３７，３７が緩んだ状態になるとともに、それぞれの支持部２０，２０も垂直状態から、支持部２４，２４，２４，２４を中心にして互いにそれぞれの第１のベッド部１１a及び第２のベッド部１１ｂの裏面側に回動する。これらの支持部２０，２０が第１のベッド部１１a及び第２のベッド部１１ｂの裏面側に回動した状態においては、保持軸３０，３０は短くなる。さらに、図８に示すように、第１のベッド部１１a及び第２のベッド部１１ｂの裏面側を互いに当接させた状態にすることで、それぞれの第１のベッド部１１a及び第２のベッド部１１ｂの裏面側に、それぞれの支持部２０，２０が挿入されるとともに、保持軸３０，３０やワイヤ３７，３７もベッド本体１１ａ，１１ｂの裏面内に収納された状態になって畳み込むことができるようになる。
【００２４】
なお、上記の実施形態において、ベッド本体１１の大きさは、人の頭部から足側までを支持できる大きさに形成した例を記載したが、その大きさも任意にでき実施携帯に限定されない。また、ベッド本体１１を構成するマット部１４の厚さ等も必要に応じて任意にでき実施形態に限定されない。
【００２５】
以上説明したように、本発明の折り畳みベッド１０では、軽量化と小型化が可能になるとともに、持ち運びも容易になり、訪問エステティクあるいはマッサージの施術用に適した折り畳みベッドとして利用することができる。
【産業上の利用可能性】
【００２６】
軽量化と小型化が可能になるとともに、持ち運びも容易になり、訪問エステティクあるいはマッサージの施術用に適した折り畳みベッドを提供する。
【図面の簡単な説明】
【００２７】
【図１】本発明実施形態の折り畳みベッドの使用状態における斜視図である。
【図２】本発明実施形態の折り畳みベッドの使用状態における正面図である。
【図３】本発明実施形態の折り畳みベッドの使用状態における平面図である。
【図４】本発明実施形態の折り畳みベッドの頭部支持部を外した状態の左側面図である。
【図５】本発明実施形態の折り畳みベッドの足部側が配置される側の右側面である。
【図６】本発明実施形態のベッド本体の部分拡大断面図である。
【図７】本発明実施形態の折り畳みベッドの畳み込み途中の状態を説明する正面図である。
【図８】本発明実施形態の折り畳みベッドの畳み込んだ状態を説明する図である。
【符号の説明】
【００２８】
１０  折り畳みベッド
１１  ベッド本体
１１ａ  第１のベッド部
１１ｂ  第２のベッド部
１２  ベッド枠
１３  支持板
１４  マット部
１５  カバー部
１６  連結部
１７  マット部
１９  取っ手部
２０  支持部
２１  支持軸
２２  保持軸
２３  調整軸
２４  支持部
２５  調整孔
３０  保持軸
３１  第1の保持軸
３２  第２の保持軸
３３  保持部
３４  軸支持部
３５  軸支持部
３６  ワイヤ取付部
３７  ワイヤ
３８  連結部
３９  連結部
４０  頭部保持部
４１  頭部支持部
４２  保持部
４３  支持機構
４４  取付軸
５０  腕支持部
５１  保持板
５２  ワイヤ
【図１】
2010022730.tif 000003
【図２】
2010022730.tif 000004
【図３】
2010022730.tif 000005
【図４】
2010022730.tif 000006
【図５】
2010022730.tif 000007
【図６】
2010022730.tif 000008
【図７】
2010022730.tif 000009
【図８】
2010022730.tif 000010